(57)【要約】      （修正有）【課題】リール固定装置の傾斜面に段差が発生することを抑制し、握持性が向上したリール固定装置を提供する。【解決手段】リール固定装置は、載置部１２が形成されたリールシート本体と、リールシート本体の外周部に螺合して軸方向に移動可能な遊動フード２０とを備える。載置部１２の上下方向反対側において、リールシート本体と遊動フード２０との外面は傾斜面３０とされている。リールシート本体は、遊動フード２０の内面に当接して遊動フード２０が載置部１２側に傾くのを規制する規制部１８を備えている。規制部１８は、リールシート本体の傾斜面１１ｃの延長上に遊動フード２０の先端部が位置するように遊動フード２０の傾きを規制する。【選択図】図２
2020156383.tif 000002
【特許請求の範囲】
【請求項１】
魚釣用リールの釣竿取付脚を載置する載置部が形成されたリールシート本体と、前記リールシート本体の外周部に螺合して軸方向に移動可能に設けられた遊動フードと、を備えたリール固定装置であって、
前記載置部の上下方向反対側において、前記リールシート本体と前記遊動フードとの外面は、前記リールシート本体側から前記遊動フード側に向うに連れて径方向外側への膨出量が次第に低減するように側面視で連続する傾斜面とされており、
前記リールシート本体は、前記遊動フードの内面に当接して前記遊動フードが前記載置部側に傾くのを規制する規制部を備えており、
前記規制部は、前記リールシート本体の傾斜面の延長上に前記遊動フードの先端部が位置するように前記遊動フードの傾きを規制することを特徴とするリール固定装置。
【請求項２】
前記遊動フードは、前記釣竿取付脚の一端を収容することで前記規制部に前記内面が当接することを特徴とする請求項１に記載のリール固定装置。
【請求項３】
前記内面は、前記遊動フードにおける前記傾斜面と平行であることを特徴とする請求項１または請求項２に記載のリール固定装置。
【発明の詳細な説明】
【技術分野】
【０００１】
本発明は、リール固定装置に関する。
【背景技術】
【０００２】
従来、魚釣用リールを釣竿に固定するための装置としてリール固定装置が知られている。リール固定装置は、釣竿に固定されるリールシート本体と、リールシート本体に取り付けられ、釣竿の軸方向に移動可能に設けられた遊動フードと、を備えている。
遊動フードは、リールシート本体に螺合される操作つまみと、操作つまみに連結され、魚釣用リールの一端の脚部を保持するフード部と、を備えている。また、リールシート本体には、魚釣用リールの釣竿取付脚が載置される載置部が形成されている。
【０００３】
ところで、リール固定装置において、載置部と上下反対側となる外面を、握持し易いように径方向外側に膨出形成して直線状又は曲線状の傾斜面としたものが知られている（例えば、特許文献１，２参照）。
特許文献１，２のリール固定装置において、傾斜面は、リールシート本体と遊動フードとに跨って形成されている。
【先行技術文献】
【特許文献】
【０００４】
【特許文献１】特開２０１５−１６７５０８号公報
【特許文献２】特開２００７−２８２５９６号公報
【発明の概要】
【発明が解決しようとする課題】
【０００５】
しかしながら、特許文献１，２のリール固定装置は、釣竿取付脚が前後方向に長い魚釣用リールを固定した場合に、リールシート本体と遊動フードとが前後方向に離間して傾斜面に段差が生じるという問題があった。このような傾斜面の段差は、リール固定装置の握持性の低下につながってしまう。
【０００６】
また、遊動フードは、リール本体に対して、若干のガタを有して設けられているため、魚釣用リールの釣竿取付脚の厚みが大きい場合に、フード部が釣竿取付脚側に引っ張られて傾くという現象が生じる。この場合にも、傾斜面に段差が生じて握持性の低下につながってしまう。
【０００７】
本発明は、このような課題を解決するために創作されたものであり、傾斜面に段差が生じることを抑制し、握持性が向上したリール固定装置を提供することを目的とする。
【課題を解決するための手段】
【０００８】
前記目的を達成するため、本発明のリール固定装置は、魚釣用リールの釣竿取付脚を載置する載置部が形成されたリールシート本体と、前記リールシート本体の外周部に螺合して軸方向に移動可能に設けられた遊動フードとを備えている。前記載置部の上下方向反対側において、前記リールシート本体と前記遊動フードとの外面は、前記リールシート本体側から前記遊動フード側に向うに連れて径方向外側への膨出量が次第に低減するように側面視で連続する傾斜面とされている。前記リールシート本体は、前記遊動フードの内面に当接して前記遊動フードが前記載置部側に傾くのを規制する規制部を備えている。前記規制部は、前記リールシート本体の傾斜面の延長上に前記遊動フードの先端部が位置するように前記遊動フードの傾きを規制する。
【０００９】
本発明では、規制部によって、リールシート本体の傾斜面の延長上に遊動フードの先端部が位置するように遊動フードの傾きが規制されるので、遊動フードがリールシート本体から離間した場合にも、リールシート本体側から遊動フード側に向けて側面視で連続する傾斜面が維持されることとなる。したがって、傾斜面に段差を生じることがなく、握持性が向上する。
【００１０】
また、前記遊動フードは、前記釣竿取付脚の一端を収容することで前記規制部に前記内面が当接することが好ましい。このように構成することによって、釣竿取付脚の一端を遊動フードに収容するという魚釣用リールを装着操作の過程で、リールシート本体の傾斜面の延長上に遊動フードの先端部を位置決めできる。したがって、特別な操作を行うことなく、側面視で連続する傾斜面を維持できる。
【００１１】
また、前記内面は、前記遊動フードにおける前記傾斜面と平行であることが好ましい。このように構成することで、リールシート本体の傾斜面の延長上に遊動フードの先端部を容易に位置させることができる。したがって、傾斜面に段差を生じることがなく、握持性が向上する。
【発明の効果】
【００１２】
本発明によれば、傾斜面に段差が生じることが抑制され、握持性が向上したリール固定装置が得られる。
【図面の簡単な説明】
【００１３】
【図１】本発明の第１実施形態に係るリール固定装置およびこれに固定された魚釣用リールの釣竿取付脚を示す側面図である。
【図２】リール固定装置の後部の遊動フードを断面にして示した側面図である。
【図３】図２に図示された規制部とその近傍部分を示した一部断面拡大側面図である。
【図４】遊動フードが後方に移動した状態における規制部とその近傍部分を示した一部断面拡大側面図である。
【図５】同じく遊動フードが後方に移動した状態におけるリール固定装置の後部の一部断面拡大側面図である。
【図６】リール固定装置を右手で把持した状態を示す側面図である。
【図７】本発明の第２実施形態に係るリール固定装置およびこれに固定された魚釣用リールを示す一部断面側面図である。
【図８】図７に図示された規制部とその近傍部分を示した一部断面拡大側面図である。
【図９】遊動フードが前方に移動した状態における規制部とその近傍部分を示した一部断面拡大側面図である。
【図１０】遊動フードが後方に移動した状態における規制部とその近傍部分を示した一部断面拡大側面図である。
【発明を実施するための形態】
【００１４】
次に各実施形態のリール固定装置について説明する。第１実施形態では、魚釣用スピニングリール用のリール固定装置について説明し、第２実施形態では、両軸受型魚釣用リールのリール固定装置について説明する。また、実施形態の説明において、リール固定装置３が装着される釣竿１が水平となっている状態を基準に説明し、釣竿の竿先側を前側、竿元側を後側と言う。
【００１５】
（第１実施形態）
図１に示すように、リール固定装置３が取り付けられる釣竿１は、前後方向に延在する竿杆２と、竿杆２の後端を被覆するグリップ（不図示）とを備える。リール固定装置３は、竿杆２の後部であってグリップの前側に取り付けられている。リール固定装置３は、リールシート本体１０と、リールシート本体１０の後部に取り付けられた遊動フード２０と、を備えている。遊動フード２０は、操作つまみ部２１と後側フード２２とを備えている。
【００１６】
リールシート本体１０は、竿杆２の軸線Ｏ１方向に延在する略円筒状の樹脂部品である。リールシート本体１０の内部に竿杆２が挿入され、リールシート本体１０が竿杆２に嵌合している。また、リールシート本体１０と竿杆２との間には接着剤が塗布され、リールシート本体１０が竿杆２に接着している。
【００１７】
リールシート本体１０の後部は、遊動フード２０内に挿入され、遊動フード２０を支持する支持部１５を構成している。一方、リールシート本体１０の前部および前後方向中央部は外側に露出している。
【００１８】
リールシート本体１０の前後方向中央部の上面（以下、中央上面という）１１は、前部の上面１０ａよりも上側に湾曲状に膨出している。
中央上面１１において、魚釣用スピニングリールの脚部５０の中心Ｏ２よりも僅かに後方に位置する箇所が最も上側に膨出している。このため、リールシート本体１０の中央上面１１は、最も上側に膨出する頂部１１ａと、頂部１１ａから前方に向うに連れて膨出量が次第に低減する前側傾斜面１１ｂと、頂部１１ａから後方に向うに連れて膨出量が次第に低減する後側傾斜面１１ｃと、を備えている。
なお、後側傾斜面１１ｃは、遊動フード２０の後記する膨出壁部２６の上面２６ｂとともに、傾斜面３０を構成している。
【００１９】
図１に示すように、リールシート本体１０の前後方向中央部の下面には、略水平な取付面を備えた載置部１２が形成されている。
リールシート本体１０の下面において、載置部１２の前方には、前側フード１３が形成されている。前側フード１３は、固定されたフードであり、載置部１２よりも下方へ膨出している。また、前側フード１３の後面には、後方に開口する前側係止孔１３ａが形成されている。前側係止孔１３ａには、魚釣用スピニングリールの釣竿取付脚５１の前部が挿入される。
さらに、リールシート本体１０の前後方向中央部の両側面には、径方向内側に窪み、かつ、前後方向に延在する案内溝１４が形成されている。
【００２０】
図２に示すように、支持部１５の後部には、雄ねじ部１６が形成されている。また、支持部１５の両側面には、径方向内側に窪み、かつ、前後方向に延在する挿通溝１７が形成されている。挿通溝１７の前端は、案内溝１４の後端に連続している。
【００２１】
支持部１５の前側の上部には、上方に突出する規制部１８が形成されている。この規制部１８は、遊動フード２０の後記する膨出壁部２６の前部と軸線Ｏ１（図１参照、以下同じ）方向に重なる位置に形成されている。規制部１８は、後記するように、遊動フード２０の内面である対向面２８（図２参照）に当接して、遊動フード２０が載置部１２側に傾くのを規制する役割をなす。
【００２２】
図３に示すように、規制部１８の上面は、前後方向に平らに形成され、軸線Ｏ１と平行となっている。
規制部１８の上面は、リールシート本体１０の中央上面１１よりも径方向内側に位置しており、規制部１８と中央上面１１との間には径方向に延在して後方を臨む段差面１１ｄが形成されている。この段差面１１ｄは、周方向に延在している。段差面１１ｄと規制部１８の上面とは、側面視で鋭角となっている。
また、規制部１８の上面と支持部１５の上面との間には、径方向に延在する後端面１８ａが形成されている。後端面１８ａは、後方を臨んで、周方向に延在している。
規制部１８の後端には、規制部１８の上面と後端面１８ａとの角部１９が形成されている。角部１９は、アール状に面取りされている。
【００２３】
図２に示すように、操作つまみ部２１は、円筒状に形成され、内周面に雌ねじ部２１ａが形成されている。雌ねじ部２１ａは、支持部１５の雄ねじ部１６と螺合している。操作つまみ部２１の前端の内周面には、周方向に延在する環状の溝２３が形成されている。
【００２４】
後側フード２２は、円筒部２４と、係止部２５と、膨出壁部２６と、突出片２７とを備えている。円筒部２４は、略円筒状に形成され支持部１５が貫通している。係止部２５は、円筒部２４の前端の下側から前方に延出している。膨出壁部２６は、円筒部２４の上部から前側に向うに連れて径方向外側に膨んでいる。突出片２７は、円筒部２４の両側面の前端から前方に向けて延出しており、後側フード２２の両側面を前方へ拡張している。
【００２５】
円筒部２４の後端には、径方向外側に突出する環状の突起２４ａが形成されている。突起２４ａは、操作つまみ部２１の内周側に入り込んでおり、溝２３内に嵌合している。
円筒部２４の内径は、支持部１５の外径よりも僅かに大きく形成されている。円筒部２４と支持部１５の前部との間には、後側フード２２が傾倒可能な隙間Ｓ１が周方向に亘って形成されている。
【００２６】
円筒部２４の内周面には、係合凸部（不図示）が形成されている。この係合凸部は、径方向内側に向って突出するとともに前後方向に延在しており、案内溝１４に係合している。係合凸部は、挿通溝１７を通過して案内溝１４内に配置される。
【００２７】
係止部２５は、前側に向うに連れて拡径し、載置部１２の後部１２ａの外側を覆っている。これにより、載置部１２と係止部２５との間には、載置部１２の後部１２ａに載置された釣竿取付脚５１の後部５２が挟持される。
【００２８】
膨出壁部２６は、リールシート本体１０の規制部１８の角部１９を越えて前方に延出している。膨出壁部２６の前端面２６ａは、リールシート本体１０の段差面１１ｄの端部に当接している。膨出壁部２６の上面２６ｂとリールシート本体１０の後側傾斜面１１ｃは、段差なく連続する傾斜面３０となっている。
【００２９】
膨出壁部２６の上面２６ｂは、前後方向に略直線状に形成されている。膨出壁部２６の上面２６ｂと後側傾斜面１１ｃとから構成される傾斜面３０は、後方に向うに連れて径方向内側に位置するとともに、前後方向に略直線状に延在する面となっている。
【００３０】
図３に示すように、膨出壁部２６の前部の内面は、規制部１８と径方向に対向する対向面２８を構成している。
対向面２８は、後方に向うに連れて径方向内側に位置し、前後方向に略直線状に形成されている。対向面２８において、規制部１８の角部１９に対向する部位２８ａは、角部１９に当接している。
また、図３の断面において、対向面２８は、膨出壁部２６の上面２６ｂと略平行である。つまり、対向面２８は、傾斜面３０と同じ傾斜角度で形成されている。
【００３１】
図１に示すように、後側フード２２の突出片２７は、中央上面１１の後端１１ｅよりも前方に延出している。なお、図１では、左側面に位置する突出片２７のみが図示されているが、右側面にも同様に突出片２７が形成されている。
【００３２】
次にリール固定装置３の動作について説明する。
操作つまみ部２１を軸線Ｏ１回りに回転させると、操作つまみ部２１が雄ねじ部１６により前後方向に案内され、操作つまみ部２１と後側フード２２が一体に前後動する。また、係合凸部が案内溝１４に係止しており、操作つまみ部２１と後側フード２２が前後動する際に、後側フード２２は軸線Ｏ１回りに回動しないようになっている。
【００３３】
図４に示すように、後側フード２２が後方に移動すると、後側傾斜面１１ｃから膨出壁部２６の上面２６ｂが離間してこの間に隙間が形成される。そして、膨出壁部２６の上面２６ｂの前端２６ｃは、後側傾斜面１１ｃの延長線Ｌ１よりも上方に位置し、傾斜面３０に段差が形成される。
さらに、後側フード２２の対向面２８は、リールシート本体１０側に向うに連れて径方向外側に位置していることから、規制部１８の角部１９に当接しなくなり、後側フード２２が傾倒可能な状態となる。
【００３４】
また、対向面２８と傾斜面３０とが同じ傾斜角度となっていることから、後側フード２２の後方への移動量に関わらず、膨出壁部２６の上面２６ｂの前端２６ｃにおける突出量Δ１は、対向面２８と角部１９との隙間Δ２と常に同じ量となる。
【００３５】
この状態から魚釣用スピニングリールを取り付ける場合には、魚釣用スピニングリールの釣竿取付脚５１の前部を前側フード１３の前側係止孔１４ａに挿入するとともに、釣竿取付脚５１の底面を載置部１２に当接させる。その後、操作つまみ部２１を回動して、後側フード２２を前方に移動させ、釣竿取付脚５１の後部５２を係止部２５に挟み込む（図２参照）。これによって、魚釣用スピニングリールがリール固定装置３に固定される。
【００３６】
ここで、後側フード２２が前方に移動する際、係止部２５の内面が釣竿取付脚５１の後部５２の外面（下面）に当接して、係止部２５が下方へ押圧される。この押圧によって、後側フード２２の対向面２８とリールシート本体１０の角部１９との間に形成された隙間Δ２（図４参照）分だけ、後側フード２２の前端が下方に移動する。これによって、後側フード２２が下方へ傾倒する。
【００３７】
この結果、図５に示すように、膨出壁部２６の上面２６ｂの前端２６ｃは、延長線Ｌ１からの突出量Δ１分（図４参照）だけ下方に移動する。この移動で、膨出壁部２６の前端２６ｃが後側傾斜面１１ｃの延長線Ｌ１上に位置するようになり、傾斜面３０に突出する部分がなくなる。つまり、規制部１８は、リールシート本体１０の傾斜面３０の延長線Ｌ１上に遊動フード２０の先端部（前端２６ｃ）が位置するように遊動フード２０の傾きを規制する。
【００３８】
次にリール固定装置３の握持の仕方について説明する。
図６に示すように、手のひらＦ６を傾斜面３０の上方からあてがいつつ、母指球Ｆ７を頂部１１ａに当てる。次に、前側傾斜面１１ｂと前部の上面１０ａに親指Ｆ１を当て、前側傾斜面１１ｂと前部の上面１０ａに沿って親指Ｆ１を前方に延ばす。
【００３９】
次いで、人差し指Ｆ２、中指Ｆ３、薬指Ｆ４、並びに小指Ｆ５のそれぞれを、リールシート本体１０の下側から回り込ませ、中指Ｆ３と薬指Ｆ４とで魚釣用スピニングリールの脚部５０を挟む。そして、人差し指Ｆ２を前側フード１３の外周面に引っ掛けるように当てる。また、中指Ｆ３の腹を、案内溝１４の近傍に当てる。さらに、薬指Ｆ４の腹を突出片２７に当てる。また、小指Ｆ５の腹を円筒部２４の側面に当てる。これによって、リール固定装置３を握持できる。
【００４０】
以上説明した本実施形態のリール固定装置３によれば、規制部１８によって、リールシート本体１０の傾斜面３０（後側傾斜面１１ｃ）の延長上に遊動フード２０の先端部（前端２６ｃ）が位置するように遊動フード２０の傾きが規制される。これによって、遊動フード２０がリールシート本体１０から離間した場合にも、リールシート本体１０側から遊動フード側に向けて側面視で連続する傾斜面が維持されることとなる。したがって、傾斜面３０に段差を生じることがなく、握持性が向上する。
【００４１】
また、遊動フード２０は、釣竿取付脚５１の一端（後部）を収容することで規制部１８に内面である対向面２８が当接する。したがって、釣竿取付脚５１の一端（後部）を遊動フード２０に収容するという魚釣用スピニングリールの装着操作の過程で、リールシート本体１０の傾斜面３０（後側傾斜面１１ｃ）の延長上に遊動フード２０の先端部（前端２６ｃ）を位置決めできる。したがって、特別な操作を行うことなく、側面視で連続する傾斜面３０を維持できる。
【００４２】
また、内面である対向面２８は、遊動フード２０における傾斜面（膨出壁部２６の上面２６ｂ）と平行である。したがって、リールシート本体１０の傾斜面３０（後側傾斜面１１ｃ）の延長上に遊動フード２０の先端部（前端２６ｃ）を容易に位置させることができる。したがって、傾斜面３０に段差を生じることがなく、握持性が向上する。
【００４３】
なお、規制部１８と後側フード２２の内面（対向面２８）との当接により後側フード２２の傾倒を規制しているため、案内溝１４と係合凸部に負荷がかからない。よって、案内溝１４と係合凸部との係合が解除されて後側フード２２が回転してしまう、ということを好適に防止できる。
【００４４】
（第２実施形態）
次に、本発明の第２実施形態に係るリール固定装置について説明する。本実施形態のリール固定装置１０３は、両軸受型の魚釣用リールを固定するためのものである。
図７に示すように、リール固定装置１０３が取り付けられる釣竿１０１は、前後方向に延在する竿杆１０２と、竿杆１０２の後側に取り付けられたグリップ１０４と、を備えている。リール固定装置１０３は、竿杆１０２の後部側に取り付けられている。リール固定装置１０３は、リールシート本体１１０と、リールシート本体１１０の前部に取り付けられた遊動フード１２０と、を備えている。遊動フード１２０は、操作つまみ部１２１と前側フード１２２とを備えている。
【００４５】
リールシート本体１１０の前部は、支持部１１５を構成し、遊動フード１２０内に挿入されている。また、リールシート本体１１０の前後方向中央部と後部が外側に露出している。
【００４６】
リールシート本体１１０における前後方向中央部の下面（以下、中央下面という）１１１は、下方に膨出している。このため、中央下面１１１は、最も下側に膨出する頂部１１１ａと、頂部１１１ａから前方に向うに連れて膨出量が次第に低減する前側傾斜面１１１ｂと、頂部１１１ａから後方に向うに連れて膨出量が次第に低減する後側傾斜面１１１ｃと、を備えている。
なお、前側傾斜面１１１ｂは、前後方向に略直線状に形成されており、前側フード１２２の下面１２６とともに、傾斜面１３０を構成している。
【００４７】
リールシート本体１１０の前後方向中央部の上部には、魚釣用リール１５０の釣竿取付脚１５１を載置する載置部１１２が形成されている。
リールシート本体１１０の上部であって載置部１１２の後方には、前方に向って開口する後側係止孔（不図示）が形成された後側フード１１３が形成されている。
また、リールシート本体１１０の後部の下面には、下方に突出するトリガ１１７が形成されている。
【００４８】
支持部１１５の前部は、雄ねじ部１１６を構成している。支持部１１５の両側面には、案内溝１１４が形成されている。案内溝１１４は、径方向内側に窪み、かつ、前後方向に延在している。
支持部１１５の外径は、リールシート本体１１０の前後方向中央部より小さく形成されている。
【００４９】
操作つまみ部１２１は、円筒状に形成され、内周面に雄ねじ部１１６と螺合する雌ねじ部１２１ａが形成されている。
前側フード１２２は、筒状に形成され、支持部１１５の前部を覆っている。また、前側フード１２２の前端は、操作つまみ部１２１と嵌合しており、操作つまみ部１２１に対し回転自在に連結している。
前側フード１２２の後側の上部には、後方に向って次第に上方に位置するように延出する係止部１２５が形成されている。この係止部１２５は、釣竿取付脚１５１の前部を載置部１１２とで挟持するためのものである。
【００５０】
図８に示すように、前側フード１２２の内径は、支持部１１５の前部よりも大径に形成されている。これにより、前側フード１２２と支持部１１５との間には隙間Ｓ２が形成され、この隙間Ｓ２によって前側フード１２２が傾倒可能になっている。また、前側フード１２２の内周面は、前後方向に平らに形成され、軸線Ｏ３（図７参照）と平行になっている。
【００５１】
前側フード１２２の後端面１２２ａは、リールシート本体１１０の段差１１７ｄに当接している。
前側フード１２２の下面１２６は、前方に向うに連れて径方向内側に位置し、前後方向に略直線状に形成されている。下面１２６の傾斜角度は、前側傾斜面１１１ｂと同じとなっている。このため、前側フード１２２の下面１２６と前側傾斜面１１１ｂとから構成される傾斜面１３０は、前方に向うに連れて径方向内側に位置するとともに、前後方向に直線状に延在する面となっている。なお、特に図示しないが、傾斜面１３０は、人差し指と中指が当たる部位である。
【００５２】
また、リールシート本体１１０において、支持部１１５の後端の下面には、下方に膨出する規制部１１８が形成されている。規制部１１８は、後方に向うに連れて径方向外側に位置し、前後方向に略直線状に形成されている。規制部１１８の後端は、前側フード１２２における下側の内周角部（内面）１２９と当接している。また、規制部１１８は、前側フード１２２の下面１２６と平行である。つまり、規制部１１８の傾斜角度は、傾斜面１３０と同じ傾斜角度となっている。
【００５３】
以上説明した第２実施形態のリール固定装置１０３は、図９に示すように、前側フード１２２が前方に移動すると、前側フード１２２の下面１２６の後端１２６ａが前側傾斜面１１１ｂの延長線Ｌ２よりも下方に位置し、傾斜面１３０に段差が発生する。
また、前側フード１２２の内周角部１２９は、規制部１１８に当接せず、前側フード１２２が傾倒可能な状態となる。
【００５４】
また、規制部１１８と傾斜面１３０とが同じ傾斜角度となっていることから、前側フード１２２の移動量に関わらず、前側フード１２２の下面１２６の後端１２６ａにおける突出量Δ３は、内周角部１２９と規制部１１８との隙間Δ４と常に同じ量となる。
【００５５】
したがって、魚釣用リール１５０の装着時に、前側フード１２２が釣竿取付脚１５１の前部１５２によって押圧されると、前側フード１２２の後端は、内周角部１２９と規制部１１８との隙間Δ４分だけ上方に移動する。これによって、前側フード１２２が傾倒する。
この結果、図１０に示すように、前側フード１２２の下面１２６の後端１２６ａは、前側傾斜面１１１ｂの延長線Ｌ２上に位置し、傾斜面１３０に突出する部分がなくなる。つまり、規制部１１８は、リールシート本体１１０の傾斜面１３０の延長線Ｌ２上に前側フード１２２の後端１２６ａが位置するように前側フード１２２の傾きを規制する。
【００５６】
以上説明した第２実施形態のリール固定装置１０３によれば、人差し指と中指が当たる傾斜面１３０に段差が発生していないため、違和感なく長時間に亘って握ることができる。したがって、握持性が向上する。
【００５７】
以上、本発明の実施形態について説明したが、本発明は、上記した実施形態に限定されることはなく、種々変形することが可能である。
前記実施形態では、膨出壁部２６の上面２６ｂや前側傾斜面１１１ｂは、略直線状に形成したものを示したが、これに限られることはなく、曲線状であってもよい。
【００５８】
また、傾斜面３０，１３０は、側面視で連続する斜面であればよく、種々の形状のものを採用することができる。
【符号の説明】
【００５９】
３，１０３  リール固定装置
１０，１１０  リールシート本体
１１ｃ  後側傾斜面（リールシート本体の傾斜面）
１２，１１２  載置部
２０，１２０  遊動フード
２６ｃ  前端（先端部）
２８    対向面（内面）
３０，１３０  傾斜面
５１    釣竿取付脚
１１１ｂ  前側傾斜面（リールシート本体の傾斜面）
【図１】
2020156383.tif 000003
【図２】
2020156383.tif 000004
【図３】
2020156383.tif 000005
【図４】
2020156383.tif 000006
【図５】
2020156383.tif 000007
【図６】
2020156383.tif 000008
【図７】
2020156383.tif 000009
【図８】
2020156383.tif 000010
【図９】
2020156383.tif 000011
【図１０】
2020156383.tif 000012